(57)【特許請求の範囲】
【請求項１】
シート状の部材をその中心を過ぎるように形成された折り返し部によって２つ折りに折り返し、対向する面に前記折り返し部から離して接着材を塗布して構成された接着部を備える粘着シート部と、前記粘着シート部に固定される線状部材と、前記線状部材に取り付けられる封印手段とを有して構成され、
前記粘着シート部には、前記折り返し部上に所定の間隔を置いて２つの穴が形成され、前記線状部材は、前記２つの穴を通して前記粘着シート部に固定される輪状部と一端がこの輪状部に結ばれ他端が開放された２本の直線部とを有して構成され、
前記封印手段は、前記線状部材の両直線部を貫通させる通孔が形成された本体部と、この通孔の通路面積を変化させる釦部とを有して構成され、
前記粘着シート部を前記粘着部が設けられた面が対面するように折り返すことによって前記封書を前記粘着部で挟持し、
前記線状部材の両直線部を、所定の構造物に巻き付けると共に、前記封印手段の前記本体部の通孔に通して前記釦部を操作して互いに固定することで、前記封書を前記構造物に固定することを特徴とする封書ホルダー。
【請求項２】
シート状の部材をその中心を過ぎるように形成された折り返し部によって２つ折りに折り返し、対向する面に前記折り返し部から離して接着材を塗布して構成された接着部を備える粘着シート部と、前記粘着シート部に固定される線状部材とを有して構成され、
前記粘着シート部には、前記折り返し部上に所定の間隔を置いて２つの穴が形成され、前記線状部材は、前記２つの穴を通して前記粘着シート部に固定される輪状部と一端がこの輪状部に結ばれ他端が開放された２本の直線部とを有して構成され、
前記粘着シート部を前記粘着部が設けられた面が対面するように折り返すことによって前記封書を前記粘着部で挟持し、
前記線状部材の両直線部を、所定の構造物に巻き付けると共に互いに捩って固定することで、前記封書を前記構造物に固定することを特徴とする封書ホルダー。
【請求項３】
請求項１又は２記載の封書ホルダーの使用方法であって、
前記線状部材をドアノブに巻き付けることを特徴とする封書ホルダーの使用方法。
【発明の詳細な説明】
【技術分野】
【０００１】
本発明は、ポストの不備等により投函できない場合であっても、公共料金の請求書等の封書が受取人の手元に届くようにする道具に関する。
【背景技術】
【０００２】
主に雑居ビル、借家等において、ポストの不備等により戸別の封書（公共料金の請求書、使用量の通知等）が投函できない場合がある。このような投函不可の封書については、現状では送り主である電力会社等が改めて郵送を依頼する等の処置がとられている。しかし、このような処置によると、郵送に係る人件費や郵便料金等の経費が嵩むこととなり、問題となっている。
【０００３】
また、最近では不在時に届いた宅配荷物を宅配ボックスにより無人で受け取れる場合が多くなってきている。このようなサービスに係る従来技術の一つとして、前面部に扉を有すると共に郵便物用の主投入口を有する箱状体の前記扉の前面に不在連絡票専用の投入口を設け、かつ扉の裏面に前記投入口へ投入された不在連絡票を受け入れ、また受け入れた不在連絡票を扉の裏側で取り出せるようにした収受体を設けてなる郵便受け箱が開示されている（特許文献１参照）。
【特許文献１】特開２００１−７８８７６号公報
【発明の開示】
【発明が解決しようとする課題】
【０００４】
しかしながら、上記のようにポスト不備による投函不可が発生している状況において、上記のような宅配ボックスが設置されている場合はほとんどないと言える。また、公共料金の請求書等の封書は小さいものであり、従来の宅配ボックス程の大きさや機能は不要であるから、より簡便な方法が模索されていた。
【０００５】
そこで、本発明は、ポストの不備等により、所定の封書を投函できない場合であっても、コストや手間をかけることなく、当該封書を確実に受取人に届けることができる道具を提供することを目的とする。
【課題を解決するための手段】
【０００６】
上記課題を達成するために、本発明に係る封書ホルダーは、シート状の部材をその中心を過ぎるように形成された折り返し部によって２つ折りに折り返し、対向する面に前記折り返し部から離して接着材を塗布して構成された接着部を備える粘着シート部と、前記粘着シート部に固定される線状部材と、前記線状部材に取り付けられる封印手段とを有して構成され、前記粘着シート部には、前記折り返し部上に所定の間隔を置いて２つの穴が形成され、前記線状部材は、前記２つの穴を通して前記粘着シート部に固定される輪状部と一端がこの輪状部に結ばれ他端が開放された２本の直線部とを有して構成され、前記封印手段は、前記線状部材の両直線部を貫通させる通孔が形成された本体部と、この通孔の通路面積を変化させる釦部とを有して構成され、前記粘着シート部を前記粘着部が設けられた面が対面するように折り返すことによって前記封書を前記粘着部で挟持し、前記線状部材の両直線部を、所定の構造物に巻き付けると共に、前記封印手段の前記本体部の通孔に通して前記釦部を操作して互いに固定することで、前記封書を前記構造物に固定することを特徴としている（請求項１）。
【０００７】
また、上記課題を達成するために、本発明に係る封書ホルダーは、シート状の部材をその中心を過ぎるように形成された折り返し部によって２つ折りに折り返し、対向する面に前記折り返し部から離して接着材を塗布して構成された接着部を備える粘着シート部と、前記粘着シート部に固定される線状部材とを有して構成され、前記粘着シート部には、前記折り返し部上に所定の間隔を置いて２つの穴が形成され、前記線状部材は、前記２つの穴を通して前記粘着シート部に固定される輪状部と一端がこの輪状部に結ばれ他端が開放された２本の直線部とを有して構成され、前記粘着シート部を前記粘着部が設けられた面が対面するように折り返すことによって前記封書を前記粘着部で挟持し、前記線状部材の両直線部を、所定の構造物に巻き付けると共に互いに捩って固定することで、前記封書を前記構造物に固定することを特徴としている（請求項２）。
【０００８】
以上の構成により、封書を粘着シート部で保持し、線状部材によって受取人の目につきやすい場所に固定することができるので、ポストの不備等により投函できない場合であっても、封書を確実に受取人に届けることができる。
【０００９】
特に、封印手段を備える構成にあっては、２本の直線部を所定の場所に巻き付けた後、封印手段によりこれら両直線部を互いに固定させることにより、簡便且つ確実に封書を所望の場所に固定させることができ、紛失等の問題を生じ難くすることができる。
【００１０】
また、本発明は、上記請求項１又は２記載の封書ホルダーの使用方法であって、前記線状部材をドアノブに巻き付けることを特徴とするものである（請求項３）。
【００１１】
このように、封書を保持した本願封書ホルダーをドアノブに固定することによって、封書を確実に受取人に届けることができる。
【発明の効果】
【００１２】
以上のように、本発明によれば、粘着シート部で封書を挟持し、線状部材をドアノブ等に巻き付けることによって封書を固定するようにしたので、ポストの不備等により封書を投函できない場合であっても、これを受取人の目につきやすい状態にすることができ、確実に受取人に届けることができる。また、特別な施設を設ける必要がないので、コストや手間がかかることがない。
【発明を実施するための最良の形態】
【００１３】
以下、添付した図面を参照して本発明の実施例を説明する。尚、異なる実施例において、同一又は同様の作用効果を奏する箇所についてはその説明を省略する。
【実施例１】
【００１４】
図１に示すのは、本実施例に係る封書ホルダー１であり、この封書ホルダー１は、粘着シート部２、線状部材３、封印手段４を有して構成される。
【００１５】
粘着シート部２は、図２に示すように、方形状に形成され塩化ビニル等の材料からなるシート状の部材であり、粘着部１０ａ，１０ｂ、折り返し部１１、穴１２を有して構成されている。粘着部１０ａ，１０ｂは、粘着シート部２の中心を横切るように形成された折り返し部１１によって分けられた２カ所の区画に、接着剤が塗布されてなる部分であり、未使用時には周知のシール製品のように保護フィルムが被せられている。穴１２は、折り返し部１１上に所定の間隔を置いて２箇所設けられている。各粘着部１０ａ，１０ｂの短手方向の長さＡは２０ｍｍ前後、粘着シート部２の端辺から折り返し部１１までの長さＢは２５ｍｍ前後であることが好ましい。尚、本発明は、粘着シート部２の具体的形状に影響されるものではなく、例えば円形等であってもよい。
【００１６】
線状部材３（図１参照）としては、ペンチや手で容易に引きちぎることができる程度の細い針金が好適に用いられ、この線状部材３は、粘着シート部２の両方の穴１２に通される輪状部３ａと、該輪状部３ａに一端が結ばれた２本の直線部３ｂ，３ｃを有して構成されている。また、これら直線部３ｂ，３ｃの長さは、１００ｍｍ前後であることが好ましい。
【００１７】
封印手段４（図１及び図３参照）は、前記線状部材３の２本の直線部３ｂ，３ｃを共に固定させるものであり、本実施例においては、本体部３０を貫通するように形成された通孔３１と、本体部３０内で通孔３１の通路面積を変化させる釦部３２とを有して構成されている。図３（ａ），（ｂ）に示すように、線状部材３の直線部３ｂ，３ｃを通孔３１に通し、釦部３２を押すことによって、直線部３ｂ，３ｃが通孔３１内で釦部３２によって圧迫され固定された状態となる。尚、本発明は封印手段４の具体的構造に影響されるものではなく、周知の様々な構造を利用することができる。
【００１８】
上記構成の封書ホルダー１を使用する際には、図４（ａ），（ｂ）に示すように、粘着シート部２の粘着部１０ａ，１０ｂで封書１５の上端部を挟み、図５（ａ）に示すように、ドア２０のノブ２１に、線状部材３を巻き付けるようにする。この時、図５（ｂ）に示すように、線状部材３の両直線部３ｂ，３ｃは、封印手段４によって固定されている。これにより、封書１５を届け先のドア２０のノブ２１にしっかりと固定することができる。また、封書１５をノブ２１から取り外す時には、線状部材３をペンチや手で引きちぎればよい。
【実施例２】
【００１９】
図６に示す本実施例に係る封書ホルダー３１は、粘着シート部２、線状部材３を有して構成される。即ち、上記実施例１にかかる封書ホルダー１と比較して、封印手段４を具備しない点でのみ異なるものである。
【００２０】
このように、封印手段を具備しない構造である場合、図７（ａ），（ｂ）に示すように、ノブ２１の上側で、細い針金等からなる線状部材３を捩じることによって、しっかりと固定することができる。
【図面の簡単な説明】
【００２１】
【図１】本発明の実施例１に係る封書ホルダーの構造を示す図である。
【図２】粘着シート部の構造を示す図である。
【図３】（ａ）及び（ｂ）は、封印手段の構造及び使用状態を示す図である。
【図４】（ａ）及び（ｂ）は、封書ホルダーに封書を保持させる状況を示す図である。
【図５】（ａ）は、実施例１にかかる封書ホルダーの使用例を示す図であり、（ｂ）は、（ａ）における封書ホルダーの状態を示す図である。
【図６】本発明の実施例２にかかる封書ホルダーの構造を示す図である。
【図７】（ａ）は、実施例２にかかる封書ホルダーの使用例を示す図であり、（ｂ）は、（ａ）における封書ホルダーの状態を示す図である。
【符号の説明】
【００２２】
１，３１  封書ホルダー
２  粘着シート部
３  線状部材
４  封印手段
１０，１０ｂ  粘着部
１１  折り返し部
１２  穴
１５  封書
２０  ドア
２１  ノブ
【図１】
0005183124.tif 000002
【図２】
0005183124.tif 000003
【図３】
0005183124.tif 000004
【図４】
0005183124.tif 000005
【図５】
0005183124.tif 000006
【図６】
0005183124.tif 000007
【図７】
0005183124.tif 000008